Podtech/llm-jp-corpus-v4-ja_patent huggingface dataset:
(57)【要約】【課題】  テープを引き剥がすことによりチューイングガムやキャンディ等を包装具から取り出す際に、最初の１個を取り出した後、包装具内のチューイングガムやキャンディ等が包装具からこぼれ落ちる欠点があった。【解決手段】  包装具１は、包装紙２と、包装紙２内に複数のチューイングガムやキャンディ等３を一列に１個１個隙間無く配置して構成され。包装具１には、１個１個隙間無く個々のチューイングガムやキャンディ等３の配設されている。１個１個隙間無く個々のチューイングガムやキャンディ等が配設された包装紙の表面に１個１個のチューイングガムやキャンディ等の間に凹所５を形成する。【選択図】図１
0003156452.tif 000002
【実用新案登録請求の範囲】
【請求項１】
包装紙と、該包装紙内に複数のチューイングガムやキャンディ等を一列に１個１個隙間無く配置して構成されている包装具において、該１個１個隙間無く配置されている個々のチューイングガムやキャンディ等の間の包装紙の表面に凹所を形成してなることを特徴とする包装具。
【考案の詳細な説明】
【技術分野】
【０００１】  本考案は、チューイングガムやキャンディ等の包装具に関する。
【背景技術】
【０００２】  従来のチューイングガムやキャンディ等の包装具は、薄いアルミ箔と紙とをラミネートした包装紙の中に複数のチューイングガムやキャンディ等を一列に１個１個隙間無く配置して構成されている。包装具の一端近傍には、チューイングガムやキャンディ等を取り出すためのテープが取り付けられており、テープを引き剥がすことによりチューイングガムやキャンディ等を包装具から取り出していた。最初の１個を取り出した後、包装具内のチューイングガムやキャンディ等が包装具からこぼれ落ちる欠点があった。
【考案の概要】
【考案が解決しようとする課題】
【０００３】  本考案は、従来の欠点を鑑みてなされたもので、テープを引き剥がして最初の１個のチューイングガムやキャンディ等を包装具から取り出した後、包装具内のチューイングガムやキャンディ等が包装具からこぼれ落ちることを防ぐことを目的とする。
【課題を解決するための手段】
【０００４】  本考案に係る包装具は、包装紙と、該包装紙内に複数のチューイングガムやキャンディ等を一列に１個１個隙間無く配置して構成されている包装具において、該１個１個隙間無く配置されている個々のチューイングガムやキャンディ等の間の包装紙の表面に凹所を形成してなることを特徴とする。
【考案の効果】
【０００５】  本考案によれば、包装具を開けた後、包装具内のチューイングガムやキャンディ等を包装具からこぼれ落ちることなく１個１個確実に包装具内から取り出すことができる。
【図面の簡単な説明】
【０００６】
【図１】図１は、図１は、本考案のチューイングガムやキャンディ等を収納する包装具を示す概略図である。
【図２】図２は、図１の包装具を示す平面図である。
【図３】図３は、図１の包装具を示す断面図である。
【考案を実施するための形態】
【実施例】
【０００７】  図１は、本考案のチューイングガムやキャンディ等を収納する包装具の概略図を示す。図２は、図１の包装具の平面図、図３は、図１の包装具の断面図である。
これら図において、符号１は、包装具である。包装具１は、薄いアルミ箔と紙とをラミネートした包装紙２に複数のチューイングガムやキャンディ等３を一列に１個１個隙間無く配置した後、包装紙２を折り曲げて複数のチューイングガムやキャンディ等３を包み込み長手方向を固着し、そして両端を固着して出来上がる。かくして、包装具１内には、薄いアルミ箔と紙とをラミネートした包装紙２の中に複数のチューイングガムやキャンディ等３が一列に１個１個隙間無く配置して構成される。包装具の一端近傍には、チューイングガムやキャンディ等を取り出すためのテープ４が取り付けられており、テープ４を引き剥がすことによりチューイングガムやキャンディ等を包装具から取り出すことができる。【０００８】  チューイングガムやキャンディ等が一列に１個１個隙間無く配置されている個々のチューイングガムやキャンディ等３の間の包装紙２の表面に凹所５が形成されている。
凹所５は、包装紙２内にチューイングガムやキャンディ等を一列に１個１個隙間無く配置し包装具を完成させた後に、チューイングガムやキャンディ等が一列に１個１個配置された個々の間を押具で押し圧することにより形成される。また、凹所５は、包装紙２内にチューイングガムやキャンディ等を入れ込む前に予め包装紙２の表面に形成させて包装具を完成させてもよい。そして、包装具の一端の開放口から一列に隙間無くチューイングガムやキャンディ等を挿入し、凹所５の両側にチューイングガムやキャンディ等を配設する。【０００９】  チューイングガムやキャンディ等が一列に１個１個隙間無く配置されている個々のチューイングガムやキャンディ等３の間の包装紙２の表面に凹所５が形成されているため、チューイングガムやキャンディ等を取り出すためのテープ４を引き剥がし、最初の１個のチューイングガムやキャンディ等を包装具から取り出した後、２個目からのチューイングガムやキャンディ等が包装具からこぼれ落ちることが防止される。
【産業上の利用可能性】
【００１０】チューイングガムやキャンディ等を収納する包装具
【符号の説明】
【００１１】１；包装具
２；包装紙２
３；チューイングガムやキャンディ等
４；テープ
５；凹所
【図１】
0003156452.tif 000003
【図２】
0003156452.tif 000004
【図３】
0003156452.tif 000005
(57)【要約】      （修正有）【課題】サッシュ窓ガラスに和風の障子を脱着できる構造を提供する。【解決手段】和風障子をサッシュ窓枠内側にあわせ製作し、和風的美観を供給する。このことにより夏場の日差し侵入が和らぐ、冬場にはガラス窓の室外と室内の温度差が少なくなり結露減少の効果もある。又和風障子とサッシュ窓枠をねじにて取り付け、ねじ脱着により和風障子を取り外し、障子紙を張替え障子紙の変色による美的損失を補う。【選択図】図１
0003156457.tif 000002
【実用新案登録請求の範囲】
【請求項１】
サッシュ窓ガラスと和風障子を一体化しサッシュ窓ガラスの不具合を減少さすものである。
【考案の詳細な説明】
【技術分野】
【０００１】
本考案は、サッシュ窓ガラスに和風の障子を脱着できるように、設置するものである。
【背景技術】
【０００２】
サッシュ窓ガラスは透明、不透明いずれも美観的に欠ける。
【０００３】
サッシュ窓ガラスは透明、不透明いずれも日差しが進入し易い。
【０００４】
サッシュ窓ガラスは冬場に外気と室温の温度差による結露が発生する。
【先行技術文献】
【特許文献】
【０００５】
【特許文献１】実開平  ５−４２５７９号広報
【考案の概要】
【考案が解決しようとする課題】
【０００６】
和風的美観、日差し進入、外気と室温の温度差がクリヤーできない。
【０００７】
和風障子紙は日光により変色する。
【課題を解決するための手段】
【０００８】
和風障子をサッシュ窓ガラス内枠に合うように製作し取り付け一体化させ、和風障子を脱着できるようにする。
【考案の効果】
【０００９】
和風障子をサッシュ窓ガラスの内枠に合わせ製作し一体化させ、和風的美観の供給、日差しの弱小化、結露の減少化を図り、障子をネジにて脱着できるようにして変色した障子紙を張り替えるようにしたものである。
【図面の簡単な説明】
【００１０】
【図１】図１はサッシュ窓ガラスと和風障子を一体化する方法を示した図面代用写真である。（実施例１）
【図２】図２はサッシュ窓ガラスと和風障子を一体化し和風化を示した図面代用写真である。（実施例２）
【図１】
0003156457.tif 000003
【図２】
0003156457.tif 000004
【手続補正書】
【提出日】平成21年10月23日(2009.10.23)
【手続補正１】
【補正対象書類名】実用新案登録請求の範囲
【補正対象項目名】全文
【補正方法】変更
【補正の内容】
【実用新案登録請求の範囲】
【請求項１】
サッシュ窓ガラスに和風障子を脱着可能に一体化した構造。
(57)【要約】      （修正有）【課題】修理修繕が容易で、高強度であり、かつ、最少の部品点数で構成の簡単なヒンジを提供する。【解決手段】本体を構成する２つの部材の末端部を螺旋状に曲げ、一方の螺旋の空隙に他方の螺旋を挿し入れるように重ねて組み合わせる。【選択図】図１
0003156468.tif 000002
【実用新案登録請求の範囲】
【請求項１】
本体を構成する２つの部材の末端部を螺旋状に曲げ、一方の螺旋の空隙に他方の螺旋を挿し入れるように重ねて組み合わせたヒンジ。
【考案の詳細な説明】
【技術分野】
【０００１】  本考案は、本体を構成する２つの部材の末端部を螺旋状に曲げ、一方の螺旋の空隙に他方の螺旋を挿し入れるように重ねて組み合わせたヒンジに関するものである。
【背景技術】
【０００２】  従来、扉や蓋の開閉やロボットアームの関節など、部材同士を回動自在な状態で接合させるために、蝶番やヒンジが用いられてきた。それらは独立した部品として構成されたものと、２つの部材の末端部をピンなどで接合してヒンジ状にしたものなどがある。
【先行技術文献】
【特許文献】
【０００３】
【特許文献１】  特開２００９−２０３７５２公報
【０００４】
【特許文献２】  特開２００３−１３５１４１公報
【考案の概要】
【考案が解決しようとする課題】
【０００５】  しかし、独立した部品として構成された蝶番やヒンジの場合は、扉と框、蓋と本体など、部材と部材との間にネジ止め等で固定する必要があり、修繕時の分解作業などで部材に大きな損傷を与えるおそれがある。【０００６】  また、部材の末端部がヒンジになっている場合は、２つの部材を切り欠いて互い違いに並べ同心軸を通して構成されている。そのため、せん断力の反作用としてピン周りの部材が変形しガタが現れやすく、あるいは特許文献２が指摘しているように、構造上ピンにせん断力が頻繁に加わり、やがて破断に至る。従って強度が低く、実用に供するにはピンを硬くし、かつヒンジ部分を大きく厚くする必要がある。さらに、一部のヒンジにはピンの末端をリベットのようにかしめて接合しているものがあり、分解修繕が極めて困難であることなど、強度上、修理修繕上の問題がある。【０００７】  本考案は、従来の技術における修理修繕の困難、強度の低さといった欠陥のない、最少の部品点数で構成の簡単なヒンジの提供を目的とする。
【課題を解決するための手段】
【０００８】  起点からの長さに比例して曲率半径が小さくなる曲線、すなわち螺旋は、その長さを無限にすると終点が一点に収束するが、終点に対する起点の角度は設計者が任意で決めることができる。この螺旋の空隙に他の螺旋を挿し入れて組み合わせると、２つの部材を回動自在な状態で接合するヒンジとなり、従来の蝶番やヒンジにみられた切り欠きを排除することができる。また案内塀など簡単な部材の追加でセンターピンも不要になる。本考案では、本体を構成する２つの部材（以下、部材甲、部材乙と記す）の末端部を螺旋状に曲げ、一方の螺旋の空隙に他方の螺旋を挿し入れるように重ねて組み合わせることにより、上記目的を達成するようにした。
【考案の効果】
【０００９】  上述の様に本考案のヒンジは、本体の末端をヒンジとして機能させているため、部品点数の削減に役立つ。また部品ではないので、取り付け工程の際に生じる本体へのダメージを回避することができる。
【図面の簡単な説明】
【００１０】
【図１】本考案のヒンジ部分の斜視図である。
【図２】本考案の実施例を示す、閉塞時の断面図である。
【図３】本考案の実施例を示す、半開放時の断面図である。
【図４】本考案の実施例を示す、開放時の断面図である。
【考案を実施するための形態】
【００１１】  中立状態において、部材甲、部材乙ともに末端部をわずかに接触させ、ガタ止めとする。また末端部の先端を内側に小さくカールさせて、先端が他の部材に食い込む事故を未然に防ぐ。
【００１２】  螺旋入り口から末端までの曲率を変化を部材甲、部材乙ともに等しくしてある。そのため相対角度を変化させていくと、やがて接触抵抗が過大になり動かなくなる。この効果を利用したリミットストップ機構を付与することにより、過度の回動の防止を企図している。
【００１３】  部品点数を減らすため、位置決めのためのセンターピンの代わりに、部材甲に案内塀を付加する。
【実施例】
【００１４】  以下、添付図面に従って一実施例を説明する。１は部材甲、２は部材乙であり、３は部材甲１と一体に形成された案内塀である。部材甲１と部材乙２の末端部を螺旋状に巻き、それらの巻き方向を一致させ、半開放時に重ね合わせることで、ヒンジの組み付けができる。また分解の場合は、部材甲１と部材乙２が互いにわずかに接触する半開放時に行うことにより、部材に大きな損傷を与えることなく作業ができる。
【符号の説明】
【００１５】１  部材甲
２  部材乙
３  案内塀
【図１】
0003156468.tif 000003
【図２】
0003156468.tif 000004
【図３】
0003156468.tif 000005
【図４】
0003156468.tif 000006
(57)【要約】      （修正有）【課題】鏡を見ながら眉墨で眉描きを行う時、高さ、長さ、太さ、カーブなどが左右対称に描くことができ、左右の形が異なる眉毛になることがない眉の形整兼口紅塗り用補助シールを提供する。【解決手段】左右の眉毛に合せることができる長さを有する複数本の水平基準線２ａ，２ｂ，２ｃよりなる眉描き用ガイド線２を、透明性のある横長シール１ａに描き、この横長シール１ａの片面に鏡へ貼るための接着材１ｂを塗布して補助シールを構成する。【選択図】図１
0003156462.tif 000002
【実用新案登録請求の範囲】
【請求項１】
透明性のある横長シールに、左右の眉毛に合せることができる長さを有し少なくとも２本の水平基準線よりなるガイド線を描き、且つこの横長シールの片面に鏡へ貼るための接着材を塗布した補助シールを備え、前記ガイド線を基準にして眉の形整、口紅塗りを行うことを特徴とする眉の形整兼口紅塗り用補助シール。
【請求項２】
上記眉の形整用ガイド線は、黒一色又は複数種の色違いにしたことを特徴とする請求項１記載の眉の形整兼口紅塗り用補助シール。
【考案の詳細な説明】
【技術分野】
【０００１】  この考案は、鏡を見ながら口紅塗り又は眉墨による眉描き、眉の形整を行う時の眉の形整兼口紅塗り用補助シールに関するものである。
【背景技術】
【０００２】眉の形をした穴を有するシールを顔面に直接貼り付けるものがある（特許文献１）。
また、眉形に沿ってプレートの湾曲状の曲辺を当て、この湾曲辺に沿ってアイブローペンシル等を移動させて所望の形状の眉形を描くことができる眉描き用補助プレートもある。（特許文献２）。
【先行技術文献】
【特許文献】
【０００３】
【特許文献１】実用新案登録第３０４４１７５号公報
【特許文献２】特開平１０−１０８７２９号公報
【特許文献３】実開昭５９−９８８２１号公報
【特許文献４】実開昭６０−６４７２２号公報
【０００４】
【考案の開示】
【考案が解決しようとする課題】
【０００５】鏡を見ながら眉墨で眉描きを行う時、眉の形整を行う時、高さ、長さ、太さ、カーブなどが左右対称に描くことが困難で、左右の形が異なる眉毛になることが多く困っていた。
特許文献１では、シールを顔面に直接貼るので、顔が汚れ皮膚を傷める恐れがあり、シールは１回限りの使用となるので、多数のシールが必要となる。
特許文献２では、眉描きを行う時、高さ、長さ、太さ、カーブなどを左右対称に描くことが特に難シールいう欠点がある。
【課題を解決するための手段】
【０００６】  この考案の眉の形整兼口紅塗り用補助シールは、透明性のある横長シールに、左右の眉毛に合せることができる長さを有し少なくとも２本の水平基準線よりなるガイド線を描き、且つこの横長シールの片面に鏡へ貼るための接着材を塗布した補助シールに関し、前記ガイド線を基準にして眉の形整、口紅塗りを行う補助シールを提供するものである。
【考案の効果】
【０００７】この考案は、上述の課題を解決できるとともに眉毛を好きな形に描くことができるし、眉の高さ、カーブ、長さ、太さを左右対称に短時間で素早く描くことができる。
また、本案補助シールは、手持ちの鏡の鏡面に貼り付ければ、何回も使用できるので、経済的である。
この補助シールを貼った鏡は、口紅を塗るときにも使用でき、この場合、口紅などの輪郭、上唇の左右、下唇の左右の輪郭が上手にできる。
【図面の簡単な説明】
【０００８】
【図１】台紙に貼り付けられた使用前の補助シールを示す正面図である。
【図２】本考案の補助シールを貼った鏡の使用状態を示す正面図である。
【図３】本考案の補助シールの使用状態を示す説明図である。
【考案を実施するための形態】
【０００９】    以下図１から３にしたがって一実施例を説明する。
【実施例】
【００１０】  この考案の眉の形整兼口紅塗り用補助シールは、左右の眉毛に合せることができるだけの長さを有する、３本の水平基準線よりなる眉の形整兼口紅塗り用ガイド線２を、横長シール１ａに描き、この横長シールの片面（裏面）に鏡へ貼るための接着材１ｂを塗布したものである。
横長シール１ａは、縦１センチくらい、横５センチくらいの長方形のものとし、台紙３に剥がし自在にしたものである。
なお、この実施例におけるガイド線２は、上辺の水平基準線２ａ、中間の水平基準線２ｂ、下辺の水平基準線２ｃの３本で構成されている。【００１１】    また、眉の形整兼口紅塗り用補助シール１ａは、形状が横長シールで、例えば透明且  つ柔軟な材質のもので、図１に示すように裏面の接着材１ｂを塗布した接着面は、台紙  ３に対して取り剥がし自在にしたものである。
シール１ａは、後述のように台紙３から剥がして鏡４に貼り付ける。【００１２】  上記眉描き用ガイド線は、黒一色又は複数種の色違いにしてもよい。【００１３】次に、使用法について説明する。
眉毛を描く（眉の形整）場合、口紅を塗る場合
（１）眉の形整兼口紅塗り用補助シール１ａを、台紙３から剥がして鏡４に貼り付ける。
（２）鏡４を見てまず眉の内側下方を下辺の水平基準線２に合わせる。
（３）鏡４に貼り付けた補助シール１ａの水平基準線２を見ながら眉または口紅を描く。
【符号の説明】
【００１４】１ａ  横長シール
１ｂ  接着材
２  眉描き用ガイド線
２ａ  上辺の水平基準線
２ｂ  中間の水平基準線
３ｃ  下辺の水平基準線
３  台紙
４  鏡
【図１】
0003156462.tif 000003
【図２】
0003156462.tif 000004
【図３】
0003156462.tif 000005
(57)【要約】      （修正有）【課題】降雨時、フードのついた雨合羽を着用する場合において、フードの開口部から雨が振り込み、眼に降りかかることで見えにくくなるのを防ぎ、フードの開口部の向きを首の動きと連動させることで視界を確保するサンバイザーを提供する。【解決手段】頭部に着用するサンバイザーにおいて、庇２０の左右の縁２１に雨合羽のフードの側辺をつまんで留めるためのクリップ２２を装着し、雨合羽のフードの内側に着用して、視界を確保するための降雨時用サンバイザーである。【選択図】図２
0003156991.tif 000002
【実用新案登録請求の範囲】
【請求項１】
雨合羽のフード１０の下に着用し、フード１０の側辺１３をつまんで留めるためのクリップ２２を左右の縁２１に備えた庇２０を持つことを特徴とする、頭部に装着する、降雨時用サンバイザー。
【考案の詳細な説明】
【技術分野】
【０００１】
本考案は、降雨時に合羽のフードの下に着用し、人体の顔面に雨が降りかかるのを防ぐための、頭部に着用する降雨時用サンバイザーに関する。
【背景技術】
【０００２】
雨合羽のフード１０は、雨合羽本体１１と襟元で連結することで支持されており、帽子のように人体の頭部に直接固定されているわけではない。さらに、雨合羽のフード１０の中には、顔に降りかかる雨粒を避けるための庇付きのものもある。この場合の庇は、柔軟なフード１０の開口部と連結するので、長い庇では支持できず、眼の前に垂れさがってしまうことから、短い庇でなければならない。眼前に垂れ下がっても、視界を完全に塞ぐことがないように、折りたたみ可能な柔軟な樹脂でできた透明庇１２付きのフード１０もある。
【考案の概要】
【考案が解決しようとする課題】
【０００３】
降雨時、雨合羽を着用する場合において、頭部を短い庇の付いたフード１０で覆っても、顔面に振りかかる雨を完全に遮ることは困難である。顔面に雨が振りかかると、眼球に雨粒が当たるのを防ぐために、あるいは、額に落ちた雨粒が眼に垂れ落ちるのを防ぐために、人は反射で瞼を閉じてしまう。このことにより、瞬きの頻度が極度に増す。眼鏡を用いている場合は、眼鏡の前面が雨粒で濡れ、光の屈折により、前方が見にくくなる。いずれの場合も、良好な視界が得られにくい。風上を向いているときや自転車に乗って前進しているときなどは特に顕著である。このために、顔面に振りかかる雨を遮りながらも視界を完全に塞ぐことがないように、透明庇１２付きのフード１０を備えた雨合羽を着用する場合もある。しかし、この場合、透明庇１２自身にできる曲面や折皺によって、また、透明庇１２に振り落ちた雨粒によっても、光の屈折が起こる。したがって、この場合においても、完全な視界を得ることは難しい。（図１に図示）
【０００４】
また、頭部を覆うフード１０は雨合羽本体１１と連結することで支持されており、人体の頭部に直接連結されているわけではない。したがって、フード１０は首の動きに連動することがない。首を横に向けて横方向を見ようとしても、フード１０の開口部は前方を向いたままであり、フード１０の側面で視野の一部を遮られる。このために、指先でフード１０の開口部の側辺１３を後方に引き、視野を広げなければならない。（図１に図示）
【０００５】
尚、降雨時も自転車で通学をしなければならない学生は多い。この場合、雨合羽を着用し、庇のついたフード１０を頭部にまとっていても、顔に降りかかる雨粒を避けるために、あるいは、頭部に固定されていないフード１０が風にはらんで脱げ落ちるのを防ぐために、顔を伏せながら自転車を操作して先を急がなければならないことが多い。この問題は、交通安全上極めて重要なテーマであり、早期の解決が急がれる。
本考案は以上のようなフード１０付き雨合羽の欠点を補い、降雨時も良好な視界を得るための降雨時用サンバイザーに関するものである。
【課題を解決するための手段】
【０００６】
請求項１に記載の本考案を以下に示す。頭部に着用するサンバイザーにおいて、庇２０の左右の縁２１に、クリップ２２を設ける。このクリップ２２とは、物を挟んでとめる小型の器具全般を指す。このクリップ２２は、本考案の中では雨合羽のフード１０の側辺１３をつまんで留める目的で用いる。このクリップ２２で、雨合羽のフード１０の側辺１３を固定しながら、本考案をフード１０の内側に着用することで、眼と額に降りかかる雨粒を庇２０により防ぐことができる。すなわち、本考案はサンバイザーを日よけに用いるのではなく、雨粒よけに用いるものである。
さらに、フリップ２２を介してフード１０が人体の頭部に固定されているので、フード１０の開口部の向きが首の動きと連動し、良好な視界を確保することができる。
【０００７】
なお、本出願のすべての文中において、サンバイザーとは、庇の部分だけでできている日よけ帽を指し、遮光板全般を指すわけではない。すなわち、自動車内のフロントガラス上部のサンバイザーなどは含まれない。
【考案の効果】
【０００８】
雨合羽のフード１０の下に、本考案のサンバイザーを着用すると、額前方に突き出た庇２０により眼や額に雨粒が降りかかるのを防ぐことができる。（図８に図示）フード１０がクリップ２２で留められ、サンバイザーに連結しているので、フード１０は頭部の動きに連動する。首を横に向けるとフード１０の開口部も同時に横を向く。フード１０が風をはらんでも、頭部に連結していることから、容易に脱げ落ちたりはしない。このため前方から風を受けるような場合でも、過度にうつむく必要はない。これらの効果により、降雨で雨合羽を着用している状態でも、十分な視界が確保できる。
【図面の簡単な説明】
【０００９】
【図１】「考案が解決しようとする課題」を示した参考図である。
【図２】本考案の斜視図である。斜め下方から描いている。
【図３】本考案の側面図である。
【図４】本考案の平面図である。
【図５】本考案の底面図である。
【図６】本考案のクリップ２２（右側分）の一例の斜視図である。
【図７】本考案の庇２０の右側の縁２１を拡大した斜視図である。図６のクリップ２２を装着している。
【図８】本考案を用いて雨合羽のフード１０を着用した状態の、人体の頭部の斜視図である。
【考案を実施するための形態】
【００１０】
サンバイザーにおいて、樹脂でできた十分に広い庇２０の左右の縁２１に、弾性金属又は樹脂でできたクリップ２２を装着する。クリップ２２の位置は固定されていてもよいが、フード１０の形状に合わせ、庇２０の縁２１に沿って多少前後できるよう、可動式のものがより良い。よって、図６、図７に示すような、形状のクリップ２２で、着脱と移動が可能なものならより便利である。クリップ２２を取り外せば、晴天時に日よけとして用いることも可能だからである。
【符号の説明】
【００１１】
１０    フード
１１    雨合羽本体
１２    透明庇
１３    側辺
２０    庇
２１    縁
２２    クリップ
【図１】
0003156991.tif 000003
【図２】
0003156991.tif 000004
【図３】
0003156991.tif 000005
【図４】
0003156991.tif 000006
【図５】
0003156991.tif 000007
【図６】
0003156991.tif 000008
【図７】
0003156991.tif 000009
【図８】
0003156991.tif 000010
(57)【要約】【課題】テーブル、机等としても種々の用途に使用することができるようにしたアイロン台を提供する。【解決手段】台部１の下面に脚３を備えさせてなるアイロン台において、該台部１上には平らな上面５を有する天板７を着脱自在に備えさせたことを特徴とするアイロン台。前記天板７は、下面に前記台部１を嵌着させる凹部９を備えると共に、該天板７を該台部１に固定するための固定手段１１を備えている。天板７は、例えば食卓、学習机、作業机、パソコン台等として使用するに適した形状に形成してもよい。また、例えば天板７の上面には囲碁用ないし将棋用の縦横線を形成してもよい。【選択図】図１
0003156993.tif 000002
【実用新案登録請求の範囲】
【請求項１】
台部の下面に脚を備えさせてなるアイロン台において、
該台部上には平らな上面を有する天板を着脱自在に備えさせたことを特徴とするアイロン台。
【請求項２】
前記天板は、下面に前記台部を嵌着させる凹部を備えると共に、該天板を該台部に固定するための固定手段を備えていることを特徴とする請求項１に記載のアイロン台。
【考案の詳細な説明】
【技術分野】
【０００１】
本考案は、アイロン台に関するものであり、特に、テーブル、机等としても種々の用途に使用することができるようにしたアイロン台に係るものである。
【背景技術】
【０００２】
アイロン台としては、例えば本出願人の出願による実用新案登録第３１４４２９０号公報に示す如く、台部の下面に脚を備えさせてなるもの（以下「従来のアイロン台」という。）が従来より知られている。
【先行技術文献】
【特許文献】
【０００３】
【特許文献１】実用新案登録第３１４４２９０号公報
【考案の概要】
【考案が解決しようとする課題】
【０００４】
従来のアイロン台は、アイロン台としては好ましいものであるが、テーブル、机等として使用するには適さないものである。すなわち、従来のアイロン台の台部は、専らアイロンをかける際に衣類等を載置するに適した材質と形状とを備えており、このような台部は他の用途には使用し難いものである。したがって、従来のアイロン台は、アイロンかけ用に使用しないときには、部屋等のスペースを取って邪魔になるものであり、押入れ等の適宜の収納場所に収納しておく必要がある。
【０００５】
このような状況に鑑み、本考案は、テーブル、机等としても種々の用途に使用することができるようにしたアイロン台を提供しようとしてなされたものである。
【課題を解決するための手段】
【０００６】
上記課題を解決するために、本考案は、下記のアイロン台を提供する。
【０００７】
（１）台部の下面に脚を備えさせてなるアイロン台において、
該台部上には平らな上面を有する天板を着脱自在に備えさせたことを特徴とするアイロン台（請求項１）。
【０００８】
（２）前記天板は、下面に前記台部を嵌着させる凹部を備えると共に、該天板を該台部に固定するための固定手段を備えている（請求項２）。
【考案の効果】
【０００９】
［請求項１の考案］
アイロン台の台部上には平らな上面を有する天板を着脱自在に備えさせているため、アイロン台は、該天板を取り外したときには、従来のアイロン台と同様に、衣類等のアイロンかけに使用することができ、該天板を台部上に取り付けたときには、テーブル、机等として種々の用途に使用することができる。該天板を台部上に取り付けたときには、アイロン台を例えば食卓、学習机、作業机、パソコン台等として使用することができる。また、例えば上面に囲碁用ないし将棋用の縦横線を形成した天板を台部上に取り付けたときには、アイロン台を碁盤ないし将棋盤として使用することもできる。
【００１０】
このように、アイロン台をアイロンかけ以外の種々の用途にも使用することができるため、アイロン台をアイロンかけに使用しないときでも、必ずしもアイロン台を押入れ等の収納場所に収納しておく必要はない。
【００１１】
更に、アイロン台の台部上に平らな上面を有する天板を取り付けたときには、該アイロン台の台部は天板の下側に隠れるため、アイロン台の外観も申し分ないものとなる。
【００１２】
［請求項２の考案］
天板は、下面に台部を嵌着させる凹部を備えると共に、該天板を該台部に固定するための固定手段を備えているため、該天板は台部上で安定し、アイロン台をアイロンかけ以外の種々の用途に好ましく使用することができる。
【図面の簡単な説明】
【００１３】
【図１】図１は、本考案によるアイロン台の一例を示す断面図である。
【図２】図２は、同上アイロン台の底面図である。
【図３】図３は、同上アイロン台の外観を示す斜視図である。
【考案を実施するための形態】
【００１４】
符号１に示すものはアイロン台の台部である。台部１は、従来のアイロン台の台部と同様なものであり、アイロンをかける際に衣類等を載置するに適した材質と形状とを備えている。
【００１５】
台部１は下面に脚３を備えている。脚３は、従来のアイロン台における脚と同様なものである。脚３は、材質、形状、長さ等の如何を問うものではなく、折り畳み自在であっても、折り畳み不能であってもよい。なお、図１、図２における符号４に示すものは、脚３を支持する脚支持体である。
【００１６】
しかして、本考案においては、台部１上には平らな上面５を有する天板７を着脱自在に備えさせる。なお、「平らな上面を有する天板」とは、上面のほぼ全部が平らである天板を意味する。
【００１７】
天板７は、例えば食卓、学習机、作業机、パソコン台等として使用するに適した形状に形成してもよい。また、例えば天板７の上面には囲碁用ないし将棋用の縦横線を形成してもよい。なお、天板７は、一例として木製とするが、材質の如何を問うものではない。
【００１８】
天板７は、下面に台部１を嵌着させる凹部９を備えると共に、該天板７を該台部１に固定するための固定手段１１を備えている。
【００１９】
天板１下面の凹部９は、台部１を嵌着させるに適した形状を有する。
【００２０】
天板７を台部１に固定するための固定手段１１は、一例として図２に示すように、天板７の下面における凹部９の外側部１０に軸１３を介してレバー１５を回動自在に取り付け、該レバー１５を台部１の下側に回動させたときに該レバー１５が台部１の下面に当接することにより、天板７を台部１に固定するようにしてなるものである。図２参照。なお、固定手段１１は、このものに限定されるものではなく、他の如何なるものであってもよい。
【符号の説明】
【００２１】
１  台部
３  脚
４  脚支持体
５  上面
７  天板
９  凹部
１０  外側部
１１  固定手段
１３  軸
１５  レバー
【図１】
0003156993.tif 000003
【図２】
0003156993.tif 000004
【図３】
0003156993.tif 000005
(57)【要約】【課題】支柱を仮押さえするための固定具を提供する。【解決手段】街路灯を地中で支える基礎となる円筒形状のパイプ１１を水平面１５に対して垂直に取り付けるために、掘削孔２２に円筒形状のパイプ１１を挿入して、水平面１５と平行になるように設置された２本の木材２１ａ，２１ｂの上に、直角に複数の孔がある２本のアングル材１６ａ，１６ｂにＭ字型の座金１７ａ，１７ｂを介して、円筒形状のパイプ１１をボルト１８およびナット１９で２箇所固定し、さらに木材２１ａ，２１ｂとアングル材１６ａ，１６ｂの交差箇所4点を木ビス２０でそれぞれ固定した。【選択図】図２
0003156999.tif 000002
【実用新案登録請求の範囲】
【請求項１】
地面に形成された穴の底部に設置され、該穴の底部から地上に伸長した支柱を固定するための支柱固定具であって、
相互に略平行な状態で前記穴の開口を横断するように地面に配置され、略同一の垂直位置に上面を有する一対の角柱部材と、
前記一対の角柱部材の上面に固定され、該角柱部材とは略直角に交差して、かつ相互に略平行に配置された一対の固定部材と、
を備え、
前記一対の固定部材が前記支柱を挟み込むことで、該支柱が固定されることを特徴とする支柱固定具。
【請求項２】
前記一対の固定部材の相互に対向する面にそれぞれ設けられ、前記支柱を固定時に該支柱と接触する一対の接触部材を更に備えることを特徴とする請求項１に記載の支柱固定具。
【請求項３】
前記接触部材の前記支柱との接触面は、該支柱の側面と略同一の形状を有することを特徴とする請求項２に記載の支柱固定具。
【考案の詳細な説明】
【技術分野】
【０００１】
本考案は、埋込式街路灯を地中で支えるための基礎となる円筒形状のパイプを、コンクリートが打設されるまで、水平面に対して垂直に仮押さえしておくための固定具に関する。
【背景技術】
【０００２】
埋込式街路灯を地中で支持する円筒形状パイプの設置工事において、従来は、パイプを地面に対して垂直に設置するために、掘削孔に型枠を挿入した後、パイプと型枠の間に４箇所添え木を設置してパイプを挟みこむことによって固定していた。
【先行技術文献】
【特許文献】
【０００３】
特開２００９−１２７３５３号
【考案の開示】
【考案が解決しようとする課題】
【０００４】
埋込式街路灯の基礎埋設作業において、従来の構造では、パイプと型枠の間に設置する添え木を適当な長さに切断し、パイプを固定する作業には、熟練の作業者の技術に頼る必要があり、時間もかかる作業であった。そのため、より短時間で効率良く作業が進められる構造を提唱する必要性があった。
【０００５】
本考案は上記の問題を考慮して創案されたものであり、本考案の目的は、熟練の作業者でなくても容易に且つ短時間で埋込式街路灯の設置を可能とする支柱固定具を提供することである。
【課題を解決するための手段】
【０００６】
上記課題を解決するための請求項１の考案は、地面に形成された穴の底部に設置され、該穴の底部から地上に伸長した支柱を固定するための支柱固定具であって、相互に略平行な状態で前記穴の開口を横断するように地面に配置され、略同一の垂直位置に上面を有する一対の角柱部材と、前記一対の角柱部材の上面に固定され、該角柱部材とは略直角に交差して、かつ相互に略平行に配置された一対の固定部材と、を備え、前記一対の固定部材が前記支柱を挟み込むことで、該支柱が固定されることを特徴とする支柱固定具に関する。
【０００７】
請求項２の考案は、前記一対の固定部材の相互に対向する面にそれぞれ設けられ、前記支柱を固定時に該支柱と接触する一対の接触部材を更に備えることを特徴とする請求項１に記載の支柱固定具に関する。
【０００８】
また、請求項３の考案は、前記接触部材の前記支柱との接触面は、該支柱の側面と略同一の形状を有することを特徴とする請求項２に記載の支柱固定具に関する。
【考案の効果】
【０００９】
以上説明したように、本考案では、２本の木材２１ａ，２１ｂの上に略直角に設置された２組のアングル材１６ａ，１６ｂとM字型座金１７ａ，１７ｂを用いて、街路灯の基礎となる円筒形状のパイプ１１を固定することによって、コンクリート１４が打設されるまで、このパイプを水平面１５に対して垂直に仮押さえしておくことが可能となった。この構造に拠れば、熟練の作業者に頼る必要もなく、作業時間も従来の約二分の一に短縮されるという効果が出た。
【図面の簡単な説明】
【００１０】
【図１】埋込式街路灯の地中部分の施工例を示す断面図である。
【図２】アングル材とＭ字型座金により円筒形状のパイプを固定する様子を示す斜視図である。
【考案を実施するための形態】
【００１１】
以下、本考案の一実施形態を添付図面に基づいて詳細に説明する。図１は埋込式街路灯の地中部分の施工例を示す断面図、図２はアングル材とＭ字型座金により円筒形状のパイプを固定する様子を示す斜視図である。
【００１２】
図１に示す埋込式街路灯の地下構造を施工するためには、図２の斜視図に示すように、２組のアングル材１６ａ，１６ｂとＭ字型座金１７ａ，１７ｂにより円筒形状のパイプ１１を挟んで固定することによって、コンクリート１４が打設されるまでパイプ１１を水平面１５に対して垂直に仮押さえしておく。なお、M字型座金のパイプ１１との接触面は、該パイプの径と略同一であることが好ましい。
【００１３】
まず、掘削孔２２の底面に、クラッシャーラン１３を敷き詰め、外枠１２を埋設し、その中に街路灯を支える円筒形状のパイプ１１を挿入した後、円筒形状のパイプ１１を挟んで水平面１５に略平行に設置した高さが等しい２本の木材２１ａ，２１ｂの上に、２本のアングル材１６ａ，１６ｂを木材２１ａ，２１ｂに交差するように配置し、２個のＭ字型座金１７ａ，１７ｂを円筒形状のパイプ１１とそれぞれのアングル材１６ａ，１６ｂの間に介して円筒形状のパイプ１１を挟み込み、２組のアングル材１６ａ，１６ｂとＭ字型座金１７ａ，１７ｂの孔にボルト１８を通して左右２箇所をナット１９で固定する。最後にアングル材１６ａ，１６ｂと木材２１ａ，２１ｂの交差した４箇所を木ビス２０でそれぞれ固定する。その後、枠内にコンクリート１４を打設する。
【００１４】
本考案は以上の実施の形態に限定されるものではなく、種々の変更、変形が可能である。例えば、パイプ１１が角柱形状の場合には、M字型座金を省略し、アングル材で直接パイプを挟んで固定してもよい。
【００１５】
１１    円筒形状のパイプ
１２    外枠
１３    クラッシャーラン（砕石）
１４    コンクリート
１５    水平面
１６，１６ａ，１６ｂ    アングル材
１７ａ，１７ｂ    Ｍ字型座金
１８    ボルト
１９    ナット
２０    木ビス
２１ａ，２１ｂ    木材
２２    掘削孔
【図１】
0003156999.tif 000003
【図２】
0003156999.tif 000004
(57)【要約】      （修正有）【課題】自転車用前照灯を容易に着脱可能とすると同時に、簡単に盗まれないようにする防犯ブザー付自転車用前照灯を提供する。【解決手段】大音量発生装置１０９は、検出スイッチ１１０に接続され、検出スイッチの先端検出部１１０−１は、自転車のハンドルに取り付ける部分１００−１から突出していて、自転車のハンドルに当接することで大音量発生装置１０９を作動させないが、自転車のハンドルから外されると検出スイッチ１１０により、大音量発生装置１０９を作動させる。さらに、所有者が自転車のハンドルから外す場合には、大音量発生装置１０９を作動させないようにする構造も有する。【選択図】図１
0003156988.tif 000002
【実用新案登録請求の範囲】
【請求項１】
着脱可能な自転車用前照灯において、大音量発生装置と、自転車のハンドルに取り付けられているかを検出する検出スイッチと、大音量発生装置を作動させるかさせないかを選択できる構造とを備え、大音量発生装置を動作させることを選択した場合に、自転車のハンドルから外されたと検出すると、大音量発生装置を作動させるか、または大音量発生装置を作動させると同時に前照灯を点灯させることを特徴とする着脱可能な自転車用前照灯。
【考案の詳細な説明】
【技術分野】
【０００１】
本考案は、着脱可能な自転車用の前照灯に関するものである
【背景技術】
【０００２】
着脱可能な自転車用前照灯は便利であるが少しの時間自転車を離れるときにいちいちはずすのは面倒であることが多い。
事実、少しの時間買い物をするときなどには着脱式前照灯を外さないことが多い。
【０００３】
しかし、より簡単に着脱できるようにすることによって着脱可能な自転車用前照灯が盗難に合うケースは少なくない。
【０００４】
たびたび盗難の被害を受けると自転車用前照灯を装備せずに夜間の無灯火運転が増え危険である。
【０００５】
この改善策として、自転車用前照灯に鍵等を付け着脱を困難にする方法があるが逆に所有者が使いにくくなるという欠点がある。
また、自転車用前照灯に音響部材を備えたものがあるが、使用者が作動させなければならず、防犯の効果は低い。
【先行技術文献】
【特許文献】
【０００６】
【特許文献１】特開２００７−１７６３９０号公報
【考案の概要】
【考案が解決しようとする課題】
【０００７】
解決しようとする問題点は、より簡単に着脱可能で盗難などの被害に合いにくくすることである。
【課題を解決するための手段】
【０００８】
本考案は、着脱可能な自転車用前照灯に盗難防止のための防犯ブザーを付け、特定の操作をしないで自転車用前照灯を外すと防犯ブザーを作動させる、または防犯ブザーと前照灯の両方を作動させることを特徴とする。
【考案の効果】
【０００９】
本考案の着脱可能な自転車用前照灯は簡単に着脱できるようにしたことに加えて少しの時間自転車を離れるような場合に自転車用前照灯を外さなくても自転車用前照灯の盗難被害を最小限にできるという利点がある。
更に、自転車走行中に所有者自らが危険を感じたときに自転車用前照灯を外すことで防犯ブザーが作動し、盗難だけではなく通常の防犯ブザーとして使用することも可能であるという利点がある。
【図面の簡単な説明】
【００１０】
【図１】図１は着脱可能な自転車用前照灯の実施方法を示した断面図である。（実施例１）
【図２】図２は着脱可能な自転車用前照灯の取り付け状態を示した斜視図である。（実施例１）
【図３】図３は着脱可能な自転車用前照灯の動作状態を示した説明図である。（実施例１）
【考案を実施するための形態】
【００１１】
自転車への取り付け部分に防犯ブザー作動スイッチを配し、更に所有者のみ防犯ブザーを作動させないための手段を設けた。
【実施例１】
【００１２】
図１は、本考案装置の１実施例の断面図であって、１１０は検出スイッチ、１０９は大音量ブザーである。
【００１３】
検出スイッチの先端検出部１１０−１は自転車のハンドル装着部１００−１から突き出すように配置され、自転車のハンドルに装着された場合１１０−１は押されて装着されていることを検出する。
【００１４】
図３のように防犯モードになっていて、かつ検出スイッチ１１０が自転車のハンドルから外されたときに大音量ブザー１０９が作動するようにすることで大音量ブザーが誤作動しないようにする。
または、検出スイッチ１１０が自転車のハンドルから外されたときに、防犯モードを解除しないと大音量ブザー１０９が作動するようにする。
【００１５】
防犯モードを解除する方法は、たとえばダイアル式のスイッチであり、または簡易的な鍵が考えられる。
【００１６】
このように、着脱式の自転車用前照灯に防犯機能を持たせることによって、盗難を最小限に抑えることができるので夜間に無灯火での自転車走行が減少する効果がある。
また、自転車走行中に所有者自らが危険を感じたときに自転車用前照灯を外すことで防犯ブザーが作動し、盗難だけではなく通常の防犯ブザーとして使用することも可能である。
また、自転車の前かごにかばんを入れている場合は、この防犯ブザー付き自転車用前照灯とかばんを連結させる構造を持たせれば、走行中に突然かばんの引ったくりに合った場合も防犯ブザーが動作することで被害を防止できる。
【符号の説明】
【００１７】
１００    ハウジング
１００−１    自転車のハンドルに取り付ける部分
１０１    前照灯レンズ
１０２    前照灯
１０８    電池
１０９    大音量発生装置
１１０    検出スイッチ
１１０−１    検出スイッチの先端検出部
【図１】
0003156988.tif 000003
【図２】
0003156988.tif 000004
【図３】
0003156988.tif 000005
(57)【要約】      （修正有）【課題】耐力壁や筋交い又は方杖を設けなくても、水平力に対して十分な耐力を有する木製の骨組みを提供する。【解決手段】木製骨組みは２枚の厚板で構成される一対の柱１と一対の登り梁２と、登り梁の頂部から柱の頂部より所定の距離をとった部分との間に配される補強部材３により構成されている。柱１の上部と登り梁２と補強材３により向かい合う三角形が形成されかつ、補強材３の下端が柱１の中間部分に接合されていることにより、地震や風による水平力が骨組みに作用した場合においても、各接合部は回転変形を生じることがなく、水平力に対して十分な耐力を有する骨組みを構成する。【選択図】図１
0003156978.tif 000002
【実用新案登録請求の範囲】
【請求項１】
２本の柱１と２本の登り梁２を有する山型の木製骨組にあって、骨組みの頂部と柱の頂部から所定の距離をとった部分との間に補強材３を有した事を特徴とする木製骨組み。
【考案の詳細な説明】
【技術分野】
【０００１】  本考案は建築物に用いる木製骨組みに関するものである。
【背景技術】
【０００２】  従来の木製骨組みは、その骨組みを地震や風による水平荷重に抵抗する耐力を持たせるために耐力壁、筋交い又は方杖などを配置する必要があった。
【考案の概要】
【考案が解決しようとする課題】
【０００３】  しかし、耐力壁又は筋交いを用いた骨組みとすると、建物の内部又は、外部に耐力壁又は筋交いを、建物の重心と剛心が大きく離れないようにバランス良く配置する必要があった。このため建物の一面と内部にまったく壁のない平面計画とすることが困難であり、車庫や倉庫として建物を使用する場合などにおいて不便であった。
また、方杖などでは十分な耐力を持たせるためには構成部材の断面を十分に大きくする必要があるため材料が過大となる傾向にあり不便であった。
【課題を解決するための手段】
【０００４】  そこで、本考案は骨組みを構成する登り梁２の頂部と柱１の頂部から所定の距離だけ離した部分との間に補強部材を設けた木製の骨組みを考案した。
【考案の効果】
【０００５】  以上のような構成により骨組みの梁間方向に耐力壁や筋交い又は方杖を配さなくても、地震や風による水平力に対して十分な耐力を有した木製骨組みを提供できるものである。
【図面の簡単な説明】
【０００６】
【図１】本考案斜視図である。
【図２】柱と梁及び補強材の接合部を示す図である。
【図３】骨組み頂部の接合部を示す図である。
【図４】柱の下端の構造を示す図である。
【図５】本考案を利用したカーポートの正面図である。
【図６】本考案を利用したカーポートの側面図である。
【考案を実施するための形態】
【０００７】以下、本考案の実施の形態を図面を参照して説明する。
（イ）図１は本考案に係る木製骨組みの斜視図である。
（ロ）木製骨組みは２枚の厚板で構成される一対の柱１と一対の登り梁２と、登り梁の頂部から柱の頂部より所定の距離をとった部分との間に配される補強部材３により構成されている。
（ハ）補強部材３は木製の物の換わりに、金属やプラスチックなどで適度な強度を有する物としてもよい。
（ニ）図２は柱１と登り梁２及び補強材３の接合構造を示すための図である。
（ホ）柱１と登り梁２及び補強材３の接合は、２枚の厚板で構成される柱１で登り梁２と補強材３を挟み込み、木ネジ５、又は釘などの接合具を用いて接合されている。
（ヘ）この様な接合方法とすることで、専門的な技能や特別な接合具を用いなくとも補強材３に生じる応力に対して十分な接合強度を確保出来る。
（ト）図３は登り梁２の頂部と補強材３の頂部の接合構造を示すための図である。
（チ）登り梁２の頂部と補強材３の頂部は、両側面に構造用合板製又は金属製の添え板４を配して挟み、木ネジ５、又は釘などで接合され十分な接合強度が確保されている。
（リ）図４は柱の下端の構造を示す図である。
（ヌ）柱の下端は２枚の厚板で構成される柱１が構造的に一体となる様にするために、登り梁、補強部材と同じ厚みを持つスペーサー６を配し、木ネジ５、又は釘などで接合する。
（ル）柱１の上部と登り梁２と補強材３により向かい合う三角形が形成されかつ、補強材３の下端が柱１の中間部分に接合されていることにより、地震や風による水平力が骨組みに作用した場合においても、各接合部は回転変形を生じることがなく、水平力に対して十分な耐力を有する骨組みを構成する物である。
（ヲ）また、２枚の厚板で柱１を構成することにより、鉛直力荷重時と水平力荷重時において、最も大きな曲げ応力の作用する柱１の曲げ強度を大きくすることが可能である。
（ワ）図５は本考案をカーポートに利用した例である。
（カ）本考案によりカーポートのように梁間方向に筋交いや耐力壁を配置できない建築物にあっても地震や風による水平力に対して、十分な構造耐力を有することが出来る。
【符号の説明】
【０００８】１      柱
２      登り梁
３      補強材
４      頂部接合用添え板
５      木ネジ
６      スペーサー
【図１】
0003156978.tif 000003
【図２】
0003156978.tif 000004
【図３】
0003156978.tif 000005
【図４】
0003156978.tif 000006
【図５】
0003156978.tif 000007
【図６】
0003156978.tif 000008